【手続補正書】
【提出日】平成29年8月29日(2017.8.29)
【手続補正１】
【補正対象書類名】特許請求の範囲
【補正対象項目名】全文
【補正方法】変更
【補正の内容】
【特許請求の範囲】
【請求項１】
燃料またはオイルと混和性の有機液体との混合状態で、官能化されたジブロックコポリマーを含む添加剤濃縮物であって、該コポリマーが、２種のポリマーブロックを含み、ここにおいて
（ｉ）その第一ブロックが、エチレンよりも高級な１−アルケンコモノマーを由来とする１種またはそれ以上の構造単位によって分断されていてもよい、エチレン系の構造単位の鎖からなり；
（ｉｉ）その第二ブロックが、スチレン、置換スチレン、アクリレート、メタクリレート、ジエン化合物、ビニルエステル、フマレートエステル、マレイン酸無水物およびこれらの誘導体から選択される、１種またはそれ以上のα，β−不飽和モノマーから誘導される構造単位の鎖を含み、
該第一および第二ブロックが、該コポリマーが以下の構造を持つように末端において結合されており：
【化１】
2017125177.tif 000001
各Ｒ基は独立にアルキルまたはアリール基を表し、かつ該第二ブロックに結合されている芳香族リングの置換基は、該第一ブロックに結合している芳香族リングの置換基に対してｍ−またはｐ−位に位置している、前記添加剤濃縮物。
【請求項２】
各Ｒ基が、独立に１〜４個の炭素原子を持つアルキル基を表す、請求項１記載の添加剤濃縮物。
【請求項３】
各Ｒ基がメチルである、請求項２記載の添加剤濃縮物。
【請求項４】
前記コポリマーにおいて、前記第二ブロックに結合している前記芳香族リングの置換基が、前記第一ブロックに結合している前記芳香族リングの置換基に対してｍ−位に位置している、請求項１〜３の何れかに記載の添加剤濃縮物。
【請求項５】
前記コポリマーにおいて、前記第一ブロックが、ポリエチレン鎖からなっている、請求項１〜４の何れかに記載の添加剤濃縮物。
【請求項６】
前記コポリマーにおいて、該コポリマーの前記第一ブロックが、１−ヘキセンまたは１−オクテン由来の構造単位により分断されているポリエチレン鎖からなっている、請求項１〜４の何れかに記載の添加剤濃縮物。
【請求項７】
前記コポリマーにおいて、前記第二ブロックが、スチレン、置換スチレン、アクリレート、メタクリレート、ジエン化合物、ビニルエステル、フマレートエステル、マレイン酸無水物およびこれらの誘導体から選択される、１種またはそれ以上のα，β−不飽和モノマーから誘導される構造単位の鎖からなっている、請求項１〜６の何れかに記載の添加剤濃縮物。
【請求項８】
前記コポリマーの第二ブロックが、１種またはそれ以上のアクリレートまたはメタクリレートモノマーから誘導されるホモ−またはコポリマー鎖からなる、請求項７記載の添加剤濃縮物。
【請求項９】
前記コポリマーにおいて、前記第二ブロックが、１種またはそれ以上のビニルエステルから誘導されるホモ−またはコポリマー鎖からなる、請求項７記載の添加剤濃縮物。
【請求項１０】
前記コポリマーの第一ブロックが、ポリスチレン標準物質に対するＧＰＣにより測定して、５００〜１０，０００の範囲の数平均分子量（Ｍｎ）を持つ、請求項１〜９の何れかに記載の添加剤濃縮物。
【請求項１１】
前記コポリマーの第二ブロックが、ポリスチレン標準物質に対するＧＰＣにより測定して、１，０００〜１００，０００の範囲の数平均分子量（Ｍｎ）を持つ、請求項１〜１０の何れかに記載の添加剤濃縮物。
【請求項１２】
燃料またはオイル組成物であって、
（ｉ）１種またはそれ以上の石油、動物、植物または合成源を由来とする燃料またはオイル、ここで該燃料またはオイルは、低温保存または使用において該燃料またはオイルから晶出する傾向を示し、それにより該燃料またはオイルのコールドフロー挙動に悪影響を及ぼす、１種またはそれ以上のｎ−アルキル−、イソアルキル−またはｎ−アルケニル−置換化合物を含み；および  （ｉｉ）請求項１〜１１の何れかに記載の添加剤濃縮物、ここで該添加剤濃縮物は、該組成物内に、低温保存または使用中の該燃料またはオイルのコールドフロー挙動を改善するのに十分な量で存在する、
を含む、前記組成物。
【請求項１３】
前記燃料またはオイルが、ディーゼル燃料、ヒーティングオイル、または潤滑油である、請求項１２記載の組成物。
【請求項１４】
１種またはそれ以上の石油、動物、植物または合成源を由来とする燃料またはオイル組成物であって、かつ低温保存または使用において該燃料またはオイルから晶出する傾向を示し、それにより該燃料またはオイルのコールドフロー挙動に悪影響を及ぼす１種またはそれ以上のｎ−アルキル−、イソアルキル−またはｎ−アルケニル−置換化合物を含有する該組成物のコールドフロー挙動を改善する方法において、該方法が、以下の工程：
（ｉ）問題となっている該燃料またはオイルのコールドフロー挙動および必要とされる改良を決定する工程；
（ｉｉ）コールドフロー挙動における所望の改善をもたらすに必要な、請求項１〜１１の何れかに記載の添加剤濃縮物の量を決定する工程；および
（ｉｉｉ）該燃料またはオイルを、その量の該添加剤濃縮物で処理する工程、
を含む、前記方法。
【請求項１５】
請求項１〜１１の何れかにおいて定義された、官能化ジブロックコポリマー。
【請求項１６】
２種のポリマーブロックを含有する官能化ジブロックコポリマーの製造方法であって、  （ｉ）その第一ブロックが、エチレンよりも高級な１−アルケンコモノマーを由来とする１種またはそれ以上の構造単位によって分断されていてもよい、エチレン系の構造単位の鎖からなり；
（ｉｉ）その第二ブロックが、スチレン、置換スチレン、アクリレート、メタクリレート、ジエン化合物、ビニルエステル、フマレートエステル、マレイン酸無水物およびこれらの誘導体から選択される、１種またはそれ以上のα，β−不飽和モノマーから誘導される構造単位の鎖を含み、
該コポリマーの該第一および第二ブロックが、該コポリマーが以下の構造を持つように末端において結合されており：
【化２】
2017125177.tif 000002
各Ｒ基は独立にアルキルまたはアリール基を表し、該第二ブロックに結合されている芳香族リングの置換基は、該第一ブロックに結合されている芳香族リングの置換基に対してｍ−またはｐ−位に配置されており、
該方法が、
ａ）第一段階において、メタロセン触媒系の存在下で、エチレンおよび場合によりエチレンよりも高級な１種またはそれ以上の１−アルケンコモノマーを重合して、場合により１−アルケンコモノマー（１または複数）を起源とするペンダントアルキル基を有するエチレン系構造単位からなる鎖である第一ポリマーブロックを形成し、該反応は、水素ガスで加圧された反応器内で、以下の式（Ｉ）の化合物の存在下で行われ：
【化３】
2017125177.tif 000003
該反応中に、該化合物（Ｉ）は、該第一ポリマーブロックに末端において組込まれて、以下の式（ＩＩ）の末端に不飽和を持つ中間体の形成をもたらし：
【化４】
2017125177.tif 000004
ｂ）第二の段階において、該第一段階の反応混合物から、該中間体（ＩＩ）を回収し；  ｃ）第三段階において、その後のラジカル重合反応において、該中間体（ＩＩ）をその末端二重結合において反応させて、第二ポリマーブロックを形成し、結果として上に定義された構造のジブロックポリマーを与える、
ことを含む、前記方法。
【請求項１７】
前記化合物（Ｉ）が、以下の構造を持つ、請求項１６記載の方法：
【化５】
2017125177.tif 000005
ここで、各Ｒ基は、独立に、１〜４個の炭素原子を持つアルキル基を表す。
【請求項１８】
前記化合物（Ｉ）が、以下の構造を持つ、請求項１７記載の方法：
【化６】
2017125177.tif 000006
【請求項１９】
前記式（Ｉ）の化合物において、前記第二ブロックに結合されている前記芳香族リングの置換基が、前記第一ブロックに結合されている前記置換基に対して、ｍ−位に位置している、請求項１６〜１８の何れかに記載の方法。